(57)【要約】      （修正有）【課題】従来の農作業用フォークを用いながら、簡単な構造改良でもって、フォークに把持機能を付与させるようにし、掬い取った干草等を確実に把持できるようにすることが出来ると共に掻き集め作業に際しては、把持機能を解除するよう切り替えて使用できるようにすること。【解決手段】農作業用フォークであって、柄に摺動自在、且つ回転自在に筒状体が嵌合され、筒状体の先端部に、柄の軸線に対して所定の角度で、前方側に向けて傾斜する補助フォークが突出固定され、且つ、筒状体の先端部に、フォークの一部に係合して、補助フォークを、フォークとは前記軸線Ｘを線対称とした位置にある不使用状態位置と、前記フォークの後側において対向する把持位置とにおいて、その位置を固定する係止手段が設けられている。【選択図】図１
0003121450.tif 000002
【実用新案登録請求の範囲】
【請求項１】
丸棒状の柄１の先端にフォーク２が固定された農作業用フォークであって、
前記柄１に摺動自在、且つ回転自在に筒状体３が嵌合され、
前記筒状体３の先端部に、前記柄１の軸線Ｘに対して所定の角度で、前方側に向けて傾斜する補助フォーク４が突出固定され、且つ、
前記筒状体３の先端部に、前記フォーク２の一部に係合して、前記補助フォーク４を、前記フォーク２とは前記軸線Ｘに対して線対象の位置にある不使用状態位置Ｐ１と、前記フォーク２の後側において対向する把持位置Ｐ２とにおいて、その位置を固定する係止手段５が設けられている、
ことを特徴とする農作業用フォーク。
【請求項２】
前記係止手段５が、前記筒状体３の先端部から、前記柄１の軸線Ｘに略々平行に前方に向けて延設された少なくとも１枚の板バネ５ａから成り、前記筒状体３の前進によって前記板バネ５ａが前記フォーク２の一部に弾性係合するように構成され、これにより、前記補助フォーク４の不使用状態位置Ｐ１と把持位置Ｐ２とが固定されることを特徴とする請求項１の農作業用フォーク。
【請求項３】
前記フォーク２と前記補助フォーク４とが、その把持位置Ｐ２において、両フォーク２と前記補助フォーク４の先端が一部噛み合う状態で把持空間Ｓが形成されるように、互いに反対向きに湾曲形成されていることを特徴とする請求項１又は請求項２の農作業用フォーク。
【考案の詳細な説明】
【技術分野】
【０００１】  本考案は、藁、牧草、干草等を掻き集め、或いは掬い取るところの農作業用フォークに関する。
【背景技術】
【０００２】  農作業用のフォーク（熊手）としては、古くから東西を問わず使用されている。その原型は、柄の先端に複数の掻き爪を設けるもので、これが狭い間隔で多数並べられているものが、一般に熊手と呼ばれているようであり、その爪が広い間隔の３本〜１０本といった形態では、フォークと呼ばれている。このように、フォークの場合は、爪間が広く落ち葉を集めたりするのではなく、寧ろ、干草の山に突き刺して、互いに絡みあった長い草（イグサ等も含めて）を掬い取り、荷馬車に載せるたり、サイロに移したりする農作業に適している。【０００３】  このような掬い作業を伴うが故に、掬い作用が確実に行い得るようにするための工夫が必要であるが、そのために爪の形状に工夫を凝らしたものが提案されている。
【特許文献１】登録実用新案第３０９７６９０号。農業用フォーク。
【０００４】  また、農作業において、地上或いは地中の作物を掬い取るのには、この作物を掬うと同時に把持（手で掴む動作と同じ）するようにできればより確実な掬い取り作業が行い得るものであり、このような考えは、次の文献に示す如く、作物の掘削収穫機等において見られるものである。
【特許文献２】特開２００３−２３３９２１８。作物堀取収穫機。
【考案の開示】
【考案が解決しようとする課題】
【０００５】  上記特許文献１は、フォークの形状に独自の工夫がなされているものであるが、フォークの原型として、その爪の構造が多きく変わるものではなく、そのフォークの爪で干草を掬い取ったときに、掬い取ったときのフォークの爪に絡む干草の重量分布が均等でない場合に、作業者がバランスを崩し、フォークが傾く事態が生じると、干草がズリ落ちる虞が多分にあるものである。【０００６】  従って、意味において、掬った干草を把持できればよいのであるが、特許文献２に示す如き農作業機では、油圧によって把持状態を生み出しているものであり、こうした機械的な手段を、簡便なフォークに転用することは出来ない。【０００７】  本考案は、従来の農作業用フォークを用いながら、簡単な構造改良でもって、フォークに把持機能を付与させるようにし、掬い取った干草等を確実に把持できるようにすることが出来ると共に掻き集め作業に際しては、把持機能を解除するよう切り替えて使用できるようにすることを目的とする。
【課題を解決するための手段】
【０００８】  本考案にかかる農作業用フォークは、上記目的を達成するために、
丸棒状の柄１の先端にフォーク２が固定された農作業用フォークであって、
前記柄１に摺動自在、且つ回転自在に筒状体３が嵌合され、
前記筒状体３の先端部に、前記柄１の軸線Ｘに対して所定の角度で、前方側に向けて傾斜する補助フォーク４が突出固定され、且つ、
前記筒状体３の先端部に、前記フォーク２の一部に係合して、前記補助フォーク４を、前記フォーク２とは前記軸線Ｘとは線対象位置にある不使用状態位置Ｐ１と、前記フォーク２の後側において対向する把持位置Ｐ２とにおいて、その位置を固定する係止手段５が設けられている、
という手段を講じたものである。
【考案の効果】
【０００９】  本考案にかかる農作業用フォークによれば、柄に対する筒状体の摺動及び回転自在の嵌合と、これに敷設の補助フォークと、この補助フォークを位置固定する係止手段を設けるだけで、従来のフォークに対して簡単に補助フォークを敷設できて、これにより、干草等の掻き集め、掬い作業のみならず、掬い取ったときに干草等を把持できるのであり、これによって、掬い取り時にバランスを崩したとしても、干草等がズリ落ちる虞が殆ど無く、確実に干草等を移送できる。【００１０】  そして、補助フォークを使用しない状態を切り替え選択することができるので、そのフォーク本来の作業も差し障り無く行い得て、全体として、フォークを用いての農作業を効率よく行いえる利点がある。
【考案を実施するための最良の形態】
【００１１】  本考案の実施に際しては、前記係止手段５が、前記筒状体３の先端部から、前記柄１の軸線Ｘに略々平行に前方に向けて延設された少なくとも１枚の板バネ５ａから成り、前記筒状体３の前進によって前記板バネ５ａが前記フォーク２の一部に弾性係合するように構成され、これにより、前記補助フォーク４の不使用状態位置Ｐ１と把持位置Ｐ２とが固定されることが好ましい。【００１２】  このように、係止手段５を、少なくとも１枚の板バネ５ａで構成し、その弾性力を利用して、弾性係止することにより、簡単な部材を用いて、格別に複雑な機構を用いることなく補助フォーク４の位置を固定することができる利点がある。
この板バネ５ａについては、通常の鋼板であれば弾性を備えているので、ばね鋼を用いなくとも十分に機能を果たすことができる。
また、実施例では、２枚の板バネ５ａ，５ｂを用いているが、１枚あれば目的を達成できるものであが、また、逆に、３枚或いは４枚あってもよい。【００１３】  又、前記フォーク２と前記補助フォーク４とが、その把持位置Ｐ２において、両フォーク２、４の先端が一部噛み合う状態で把持空間Ｓが形成されるように、互いに反対向きに湾曲形成されていることが好ましい。
このように、予め、把持する嵩を想定しての把持空間Ｓを形成しておくことで、前記フォーク２と前記補助フォーク４による干草等の所定量を無理なく把持できるのであり、また、多少少ない把持であっても、その両フォーク２、４の先端が一部噛み合う状態で把持空間Ｓが形成されているので、この両フォーク２、４により閉鎖された把持空間Ｓに収まった零れ難い状態で移送ができる。尚、両フォーク２，４の噛み合いは、実施例の図示の如く、全ての爪が噛み合う必要はないものである。
【実施例】
【００１４】  本考案にかかる農業用フォークの一好適実施例について、図面を参照して以下詳述する。図１に示すのは、農業用フォークの要部の斜視図であり、図２は、補助フォークの把持位置を示す要部の側面図であり、図３は、補助フォークの不使用状態位置を示す要部の側面図であり、図４及び図５は、夫々切り替え操作を示す斜視図である。【００１５】  図１に示すように、この農作業用フォークは、丸棒状の柄１の先端に、柄１の軸線に直交して設けられた支持部材２Ａを介してフォーク２が固定されているものである。この柄１は、ここででは、軽合金製のパイプで構成されているが、合成樹脂製、木製、鋼管製であってもよい。そして、そのフォーク４は、鋼棒で構成されており、ここでは、湾曲された７本の爪から構成されている。【００１６】  そして、前記柄１には、筒状体３が摺動自在、且つ回転自在に嵌合されている。
この筒状体３は、後述の補助フォーク４の移動操作に把持して使用するものであるので、把持に必要な所定の長さを有し、その表面の一部には、ラバー製のグリップ１Ａが設けられている。【００１７】  また、前記筒状体３の先端部に、前記柄１の軸線Ｘに対して所定の角度で、前方側に向けて傾斜する補助フォーク４が突出固定されている。この補助フォーク４の具体的な取り付け構造としては、前記筒状体３の先端部に、該筒状体３の軸線に直交する１本の支持部材４Ａが固定され、この支持部材４Ａに３本の連結部材４Ｂの一端が連結固定されていて、これら連結部材４Ｂの多端に、補助フォーク４が連結固定されているのである。この補助フォーク４は、基部材４Ｃに３本の爪４Ｄを所定の間隔で連結固定して構成している。【００１８】  更に、前記筒状体３の先端部に、前記フォーク２の一部に係合して、前記補助フォーク４を、前記フォーク２とは前記軸線Ｘに対して線対象の位置にある不使用状態位置Ｐ１と、前記フォーク２の後側において対向する把持位置Ｐ２とにおいて、その位置を固定する係止手段５が設けられている。【００１９】  この係止手段５は、前記筒状体３の先端部、ここでは、前記支持部材４Ａから前記柄１の軸線Ｘに略々平行に前方に向けて延設された２枚の板バネ５ａから成り、前記筒状体３の前進によって前記板バネ５ａが前記フォーク２の一部、ここでは、柄１の先端に、柄１の軸線に直交してボルト止６で設けられた支持部材２Ａの上面に弾性係合するように構成されている。これにより、前記補助フォーク４の不使用状態位置Ｐ１と把持位置Ｐ２とが固定される構成とされている。この場合、前記補助フォーク４は、柄１の軸線周りに回動されるが、何れの位置Ｐ１，Ｐ２においても、前記板バネ５ａは、支持部材２Ａの上面に係合するように所定の角度をもって、前記支持部材４Ａにボルト止７されている。【００２０】  また、前記フォーク２と前記補助フォーク４とが、その把持位置Ｐ２において、両フォーク２と前記補助フォーク４の先端が一部噛み合う状態で把持空間Ｓが形成されるように、互いに反対向きに湾曲形成されているものである。
この実施例では、図２及び図３に示すように、前記フォーク２の方は、円弧状に湾曲されているが、前記補助フォーク４の方は、３本の爪４Ｄが、前記柄１の軸線Ｘに対して直交する立ち上がり部分と、そこから前方側に向けて斜めに折れ曲がる部分（不使用状態位置Ｐ１において、前方上方に折れ曲がる）とから構成されている。【００２１】（作用の説明）
補助フォーク４の使用に際しては、先ず、図３及び図５に示す不使状態位置Ｐ１から、そして、片手（右手）で柄１の端部を握り、他方の手（左手）で、筒状体３のグリップ１Ａを握って、手前側、即ち、柄１の端部側に引く。
これにより、前記係止手段５の２枚の板バネ５ａが、支持部材２Ａの上面から離されて、前記筒状体３がフリーの状態となり、前記筒状体３の回動を可能にする。【００２２】  そこで、前記筒状体３を上方から回動させて、図４に示すように、前記補助フォーク４を下方に向ける。
その後、グリップ１Ａを握った手を前方に突き出して、前記筒状体３を摺動させて前進させ、図１及び図２に示すように、前記２枚の板バネ５ａが支持部材２Ａの上面に弾性係合する状態得て、この補助フォーク４をその把持位置Ｐ２に固定するのである。
これによって、フォーク２と補助フォーク４とによって、干草等が、その把持空間Ｓに把持されることになるのである。【００２３】  このように、前記筒状体３を摺動させて係止状態を解除して後方に引き、回動させ、次いで、摺動前進させて係止するという工程を繰り返すことで、補助フォーク４を利用した把持機能を発揮させることができるのである。
また、補助フォーク４を使用しない場合には、図３、図５に示すように、不使用状態位置Ｐ１において、その位置を固定して用いればよいのである。
【産業上の利用可能性】
【００２４】  本考案にかかる農作業業用フォークは、既存のフォークに対しても容易に敷設でき、格別の駆動機構も必要なく、手動操作で容易に切り替えて掬い作業と把持作業とを行い得るので、法面雑草の収集除去等の土木作業、酪農、米農作業、林業、一般家庭においても利用できて、その応用範囲は広いものである。
【図面の簡単な説明】
【００２５】
【図１】本考案に係る農作業用フォークの要部の斜視図。
【図２】本考案に係る農作業用フォークの一使用状態を示す要部の側面図。
【図３】本考案に係る農作業用フォークの一使用状態を示す要部の側面図。
【図４】本考案に係る農作業用フォークの一操作状態を示す要部の側面図。
【図５】本考案に係る農作業用フォークの一操作状態を示す要部の側面図。
【符号の説明】
【００２６】１：柄
２：フォーク
３：筒状体
４：補助フォーク
Ｘ：軸線
Ｐ１：不使用状態位置
Ｐ２：把持位置
５：係止手段
５ａ：板バネ
Ｓ：把持空間
【図１】
0003121450.tif 000003
【図２】
0003121450.tif 000004
【図３】
0003121450.tif 000005
【図４】
0003121450.tif 000006
【図５】
0003121450.tif 000007